(57)【要約】【課題】  くさび効果を利用したワイヤストッパのワイヤへの取付けやワイヤからの取り外し作業を効率よく行える工具を得ること。【解決手段】  内周面にテーパ面５ｂを有する筒状のアウター部材５およびこのアウター部材５のテーパ面５ｂとこれに挿通されたワイヤ２の外周面との間に形成される環状くさび空間６に一端側が圧入可能なインナー部材７からなるワイヤストッパ４をワイヤ２に取付取り外しするための工具であって、アウター部材５を保持するアウター部材保持部１０と、アウター部材保持部１０に保持されたアウター部材５に対し進退可能にインナー部材７を保持するインナー部材保持部２０と、インナー部材保持部２０をアウター部材保持部１０に対し進退駆動する駆動機構部３０とから構成する。【選択図】        図１
2007024163.tif 000002
【特許請求の範囲】
【請求項１】
内周面にテーパ面を有する筒状のアウター部材および該アウター部材のテーパ面とこれに挿通されたワイヤの外周面との間に形成される環状くさび空間に一端側が圧入可能なインナー部材からなるワイヤストッパをワイヤに取付・取り外しするための工具であって、  前記アウター部材を保持するアウター部材保持部と、
前記アウター部材保持部に保持されたアウター部材に対し進退可能に前記インナー部材を保持するインナー部材保持部と、
前記インナー部材保持部をアウター部材保持部に対し進退駆動する駆動機構部と、
を備えることを特徴とするワイヤストッパ用工具。
【請求項２】
前記アウター部材は、その外周面に環状凹部を有し、
前記アウター部材保持部は、一辺側の壁に前記アウター部材の環状凹部が嵌入可能な第１のＵ状切欠きを有する外枠体からなり、
前記インナー部材保持部は、一辺側の壁に前記ワイヤの挿通を可能としながら前記インナー部材の反圧入側端面と当接可能な第２のＵ状切欠きを有するとともに、該第２のＵ状切欠き側の辺と対向する辺側の壁に前記インナー部材の反圧入側テーパ面が係合可能な第３のＵ状切欠きを有し、前記外枠体内にスライド自在に嵌入される内枠体からなり、
前記駆動機構部は、前記第２のＵ状切欠き内に嵌入可能なロッド部および該ロッド部の先端に設けられて該第２のＵ状切欠きの内側エッジや前記第３のＵ状切欠きの外側エッジと係合可能なヘッド部を有し、前記外枠体の前記第１のＵ状切欠き側の辺と対向する辺側の壁に装着されて、該第１のＵ状切欠き側の壁に向けて進退可能なねじ部材またはシリンダからなることを特徴とする請求項１記載のワイヤストッパ用工具。
【請求項３】
前記内枠体は、前記ワイヤストッパの取付時にはその第２のＵ状切欠き側の壁が前記外枠体の第１のＵ状切欠き側の壁と対向するように、また前記ワイヤストッパの取り外し時には前記とは逆にその第３のＵ状切欠き側の壁が前記外枠体の第１のＵ状切欠き側の壁と対向するように、前記外枠体内に嵌入されて使用されることを特徴とする請求項２記載のワイヤストッパ用工具。
【請求項４】
前記外枠体および前記内枠体の少なくとも一方は有底であることを特徴とする請求項２又は請求項３記載のワイヤストッパ用工具。
【発明の詳細な説明】
【技術分野】
【０００１】
本発明は、ワイヤ端部にワイヤストッパを取付け、又はワイヤ端部に取り付けられているワイヤストッパを取り外すためのワイヤストッパ用工具に関する。
【背景技術】
【０００２】
従来より、ワイヤを例えば支柱間に緊張状態に張って手摺バー下部の通り抜けを阻止するフェンスを形成するようにしたものが知られている。また、道路に沿って設けるガードワイヤや建築物の張弦ワイヤのようにワイヤが構造上の荷重を負担する使用形態があることも知られている。いずれも、一方の支持体にワイヤの一端を固定してから、他端側でワイヤ長さやワイヤ張力の調整を行うようにしている。そのため、ワイヤの両端には、それぞれこれを支持体側に連結するためのワイヤストッパが取り付けられ、各ワイヤストッパがそれぞれワイヤ引締装置を介して支持体と連結されるようになっている。したがって、他端側（ワイヤ長さやワイヤ張力調整側）のワイヤストッパは、ワイヤに着脱可能に固定されるようになっているが、従来はそのワイヤストッパの固定手段として押しねじを用いている（例えば特許文献１参照）。
【０００３】
【特許文献１】特開２００１−０６５６４５
【発明の開示】
【発明が解決しようとする課題】
【０００４】
このように従来は、ワイヤ長さやワイヤ張力調整側に位置するワイヤストッパを、押しねじによってワイヤに止着するようにしているので、止着部分のワイヤが押しねじによってばらけてしまう。このため、ワイヤにワイヤストッパを仮止めなどによって止着した後は、その止着部分から末端までは実用に供することができなくなり、特にワイヤ長さを長くする調整はできなかった。また、ワイヤ長さを短くする調整であっても、押しねじによってばらけた部分を除去しなければ調整後に押しねじが有効に働かなくなる可能性があり、長さの微調整が難しかった。
【０００５】
そこで、少なくともワイヤ長さやワイヤ張力調整側に位置するワイヤストッパを、内周面にテーパ面を有しワイヤが挿通された筒状のアウター部材と、アウター部材のテーパ面とこれに挿通されたワイヤの外周面との間に形成される環状くさび空間に離脱可能に一端側が圧入されるインナー部材とから構成して、ワイヤがばらけることがなく、またインナー部材を環状くさび空間から引き抜くことでワイヤ長さを長くする調整やワイヤ長さの微調整も可能としたものが本出願人により提案されている。しかしながら、ワイヤにアウター部材およびインナー部材を取付け、あるいはアウター部材からインナー部材を取り外すための専用工具が存在せず、これまではハンマー、ペンチなどの汎用工具を組合せて、ワイヤへのアウター部材およびインナー部材の取付け・取り外し作業を行っており、作業効率が悪かった。
【０００６】
本発明の技術的課題は、くさび効果を利用したワイヤストッパのワイヤへの取付けやワイヤからの取り外し作業を効率よく行える工具を得ることにある。
【課題を解決するための手段】
【０００７】
本発明に係るワイヤストッパ用工具は、内周面にテーパ面を有する筒状のアウター部材およびこのアウター部材のテーパ面とこれに挿通されたワイヤの外周面との間に形成される環状くさび空間に一端側が圧入可能なインナー部材からなるワイヤストッパをワイヤに取付取り外しするための工具であって、アウター部材を保持するアウター部材保持部と、アウター部材保持部に保持されたアウター部材に対し進退可能にインナー部材を保持するインナー部材保持部と、インナー部材保持部をアウター部材保持部に対し進退駆動する駆動機構部と、を有するものである。
【発明の効果】
【０００８】
本発明のワイヤストッパ用工具によれば、分離状態にあるワイヤストッパのアウター部材をアウター部材保持部に保持させ、インナー部材をインナー部材保持部に保持させ、駆動機構部によりインナー部材保持部をアウター部材保持部に対し押し進めれば、インナー部材の一端側がアウター部材とワイヤとの間の環状くさび空間内に圧入され、くさび効果が働いてワイヤにワイヤストッパが固定される。このため、ワイヤへのワイヤストッパの取付が容易となる。
また、固定状態にあるワイヤストッパのアウター部材をアウター部材保持部に保持させ、アウター部材から突出するインナー部材の他端側をインナー部材保持部に保持させ、駆動機構部によりインナー部材保持部をアウター部材保持部から引き離せば、インナー部材がアウター部材とワイヤとの間の環状くさび空間内から離脱し、これらが分離され、ワイヤからワイヤストッパを取り外すことができる。このため、ワイヤからのワイヤストッパの取り外しが容易となる。
【発明を実施するための最良の形態】
【０００９】
以下、図示実施形態により本発明を説明する。
図１は本発明の一実施形態に係るワイヤストッパ用工具のワイヤストッパ取付時の態様を示す正面断面図、図２はそのワイヤストッパ用工具のワイヤストッパ取り外し時の態様を示す正面断面図、図３はそのワイヤストッパ用工具のアウター部材保持部（外枠体）を示す左側面図、正面図及び右側面図、図４はそのワイヤストッパ用工具のインナー部材保持部（内枠体）を示す左側面図、正面図及び右側面図、図５はそのワイヤストッパ用工具の駆動機構部（ねじ部材）を示す正面図、図６はそのワイヤストッパ用工具のワイヤストッパ取付時に使用される当板部材を示す正面図および側面図、図７はそのワイヤストッパ用工具のワイヤストッパ取り外し時に使用されるホーク状リテーナを示す左側面図、正面図及び右側面図、図８はワイヤストッパとワイヤとの関係を分解して示す断面図、図９はワイヤにワイヤストッパを取付けた状態を示す正面図、図１０はワイヤストッパを取付けたワイヤを水平張りフェンスへ適用した例を示す正面図、図１１はそのワイヤストッパ用工具のアウター部材保持部（外枠体）の他の実施形態を示す左側面図、正面図及び右側面図、図１２はそのワイヤストッパ用工具のインナー部材保持部（内枠体）の他の実施形態を示す左側面図、正面図及び右側面図である。
【００１０】
ワイヤストッパを取付けたワイヤを用いた水平張りフェンスは、図１０のように支持体となる支柱１，１間に、ワイヤ引締装置３Ａ，３Ｂによりワイヤ２を緊張状態に張り、これを上下数段設けることで形成される。
【００１１】
ワイヤストッパ４は、図８及び図９のように外周面に環状凹部５ａを有するとともに内周面にテーパ面５ｂが形成されワイヤ２が挿通された筒状のアウター部材５と、周方向で複数（ここでは２つ）に分割されてアウター部材５のテーパ面５ｂとこれに挿通されたワイヤ２の外周面との間に形成される環状くさび空間６に離脱可能に一端側が圧入されるインナー部材７とから構成されている。
【００１２】
周方向で２分割されたインナー部材７は、全体として環状くさび空間６に沿う形状を有しており、くさび効果を確実に発揮できるようになっている。
【００１３】
本実施形態のワイヤストッパ用工具は、図１及び図２のようにアウター部材５を保持するアウター部材保持部すなわち外枠体１０と、外枠体１０に保持されたアウター部材５に対し進退可能にインナー部材７を保持するインナー部材保持部すなわち内枠体２０と、内枠体２０を外枠体１０に対し相対的に進退駆動する駆動機構部すなわちねじ部材３０とから構成されている。
【００１４】
これを更に詳述すると、外枠体１０は、図１乃至図３のように一辺側の壁１１に、アウター部材５の環状凹部５ａが嵌入可能な第１のＵ状切欠き１２が形成されているとともに、この第１のＵ状切欠き１２側の辺と対向する側の辺の壁１３に、ねじ部材３０の雄ねじ部３１が螺合可能な雌ねじ１４が設けられている。
【００１５】
内枠体２０は、図１、図２及び図４のように一辺側の壁２１にワイヤ２の挿通を可能としながらインナー部材７の反圧入側端面７ａと当接可能な第２のＵ状切欠き２２を有するとともに、第２のＵ状切欠き２２側の辺と対向する辺側の壁２３にインナー部材７の反圧入側テーパ面７ｂが係合可能な傾斜エッジを有する第３のＵ状切欠き２４を有し、外枠体１０内にスライド自在に嵌入されるようになっている。すなわち、内枠体２０は、ワイヤストッパ４の取付時にはその第２のＵ状切欠き２２側の壁２１が外枠体１０の第１のＵ状切欠き１２側の壁１１と対向するように（図１）、またワイヤストッパ４の取り外し時には前記とは逆にその第３のＵ状切欠き２４側の壁２３が外枠体１０の第１のＵ状切欠き１２側の壁１１と対向するように（図２）、外枠体１０内に嵌入されて使用される。
【００１６】
ねじ部材３０は、図１、図２及び図５のように第２のＵ状切欠き２２内に嵌入可能なロッド部３２が雄ねじ部３１の一端から延出して設けられているとともに、ロッド部３２の先端に第２のＵ状切欠き２２の内側エッジや第３のＵ状切欠き２４の外側エッジと係合可能なヘッド部３３が一体に設けられている。なお、ねじ部材３０の他端にはねじ操作部となる角軸部３４が設けられており、角軸部３４に図示しないハンドルを取り付けて回転操作（手動操作）することで、内枠体２０を外枠体１０に対し相対的に進退駆動し、内枠体２０に保持（係合）されたインナー部材７をアウター部材５の環状くさび空間６内に圧入し（図１）、又はインナー部材７をアウター部材５の環状くさび空間６より取り出す（図２）ことができるようになっている。
【００１７】
なお、インナー部材７圧入時には、ねじ部材３０のヘッド部３３の先端面と内枠体２０の第３のＵ状切欠き２４側の壁２３との間に、図１及び図６のような矩形プレート４０が設置されるようになっている。矩形プレート４０は、ねじ部材３０による押し圧力を分布化させて第３のＵ状切欠き２４のエッジ部に応力が集中するのを防止する圧力分散機能とねじ部材３０の回転に伴うヘッド部３３の回転により発生する摩擦を低減する機能を有している。
【００１８】
また、インナー部材７取り外し時には、ねじ部材３０のヘッド部３３の後端面と内枠体２０の第２のＵ状切欠き２２側の壁２１の内面との間に、図２及び図７のようなホーク状リテーナ５０が差し込まれて設置されるようになっている。ホーク状リテーナ５０は、差し込み時にそのスリット５１の最奥部５２まで差し込まれることで、差し込み方向（奥行き方向）の位置決めがなされ、かつヘッド部３３がスリット５１のエッジと直接接触する面積が拡大し、ねじ部材３０による引き圧力を一層分布化させて第２のＵ状切欠き２２のエッジ部への応力集中を防止する圧力分散機能とねじ部材３０の回転に伴うヘッド部３３の回転により発生する摩擦を低減する機能を有している。
【００１９】
次に、本実施形態のワイヤストッパ用工具を用いてワイヤストッパを取付け・取り外しする際の手順について図１乃至図１０に基づき説明する。ワイヤストッパ４の取付けは、まずねじ部材３０を左回転させて縮退させ、外枠体１０内への突出量を小さくしてから、図８のように環状くさび空間６がワイヤ端部側（図の右側）に向かって開口するようにアウター部材５内にワイヤ２を挿通する。次いで、ワイヤ２が挿通されたアウター部材５の環状凹部５ａを、図１のようにワイヤ２の端部が外枠体１０内に位置するようにその第１のＵ状切欠き１２内に嵌め込み、そのまま第１のＵ状切欠き１２の最奥部まで差し込む。これにより、アウター部材５の差し込み方向（奥行き方向）の位置決めがなされ、かつアウター部材５の環状凹部５ａの側壁が外枠体１０の第１のＵ状切欠き１２のエッジと接触する面積が拡大し、外枠体１０がアウター部材５を保持する保持力が高まる。
【００２０】
次いで、環状くさび空間６内にインナー部材７の先端部を軽く嵌め込み、その状態でワイヤ２をスライドさせてワイヤストッパの取付け位置を調整してから、内枠体２０をその第２のＵ状切欠き２２がワイヤストッパ４側を向くようにして外枠体１０内に嵌め入れる。この時、内枠体２０は、壁２１が環状くさび空間６内に仮挿入してあるインナー部材７よりも後方（図１の右方）に位置するように、また第２のＵ状切欠き２２の開口が嵌め入れ方向の先端側を向くようにする。このようにすることで、外枠体１０の表裏面のいずれの側からも内枠体２０の嵌め入れが可能となる。なお、第２のＵ状切欠き２２内にワイヤ端を嵌入させたまま内枠体２０を外枠体１０内に嵌め入れる際、ワイヤ端部が第２のＵ状切欠き２２の最奥部に当接するまで内枠体２０を外枠体１０内に押し込む。これにより、内枠体２０の嵌め入れ方向（奥行き方向）の位置決めがなされ、内枠体２０が外枠体１０内に完全に収容され、さらにインナー部材７の反圧入側端面７ａが第２のＵ状切欠き２２のエッジと接触する面積が拡大し、内枠体２０とインナー部材７との係合状態が安定するようになっている。
【００２１】
前述のように外枠体１０内でインナー部材７の反圧入側端面７ａとねじ部材３０のヘッド部３３の間に内枠体２０が配置されれば、次にヘッド部３３の先端面と内枠体２０の第３のＵ状切欠き２４側の壁２３との間に矩形プレート４０（図１及び図６）を設置してから、ねじ部材３０を右回転させて伸長させ、外枠体１０内への突出量を大きくし、ヘッド部３３と反圧入側端面７ａとの間に矩形プレート４０と内枠体２０を挟み付け、そのまま更にねじ部材３０を右回転させて伸長させることで、アウター部材５の環状くさび空間６内へインナー部材７の先端部を圧入し、固定する。これにより、ワイヤストッパ４の取付け作業は終了する。
【００２２】
ワイヤストッパ４の取り外しは、次のように行われる。まず、ねじ部材３０を右回転させて伸長させ、外枠体１０内への突出量を大きくしてから、アウター部材５の環状凹部５ａを、図２のようにワイヤ２の端部が外枠体１０内に位置するようにその第１のＵ状切欠き１２内に嵌め込み、そのまま第１のＵ状切欠き１２の最奥部まで差し込む。これにより、取付け時と同様にアウター部材５の差し込み方向（奥行き方向）の位置決めがなされ、かつアウター部材５の環状凹部５ａの側壁が外枠体１０の第１のＵ状切欠き１２のエッジと接触する面積が拡大し、外枠体１０がアウター部材５を保持する保持力が高まる。
【００２３】
次いで、内枠体２０を前述の取付け時とは逆向き、つまり内枠体２０の第３のＵ状切欠き２４がワイヤストッパ４側を向くようにして外枠体１０内に嵌め入れる。この時、内枠体２０は、第３のＵ状切欠き２４の傾斜エッジ内にインナー部材７の反圧入側テーパ面７ｂが嵌入するように、また第３のＵ状切欠き２４及び第２のＵ状切欠き２２の各開口が嵌め入れ方向の先端側を向くようにする。このようにすることで、外枠体１０の表裏面のいずれの側からも内枠体２０の嵌め入れが可能となる。なお、予め外枠体１０内へ大きく突出させているねじ部材３０は、前記外枠体１０内への内枠体２０の嵌め入れ時に、ねじ部材３０のロッド部３２が内枠体２０の第２のＵ状切欠き２２を挿通し、ヘッド部３３が内枠体２０内に位置できるように突出量が調整されている。また、内枠体２０を外枠体１０内に嵌め入れる際、インナー部材７の反圧入側テーパ面７ｂが第３のＵ状切欠き２４の傾斜エッジの最奥部に当接するまで内枠体２０を外枠体１０内に押し込む。これにより、内枠体２０の嵌め入れ方向（奥行き方向）の位置決めがなされ、内枠体２０が外枠体１０内に完全に収容され、さらにインナー部材７の反圧入側テーパ面７ｂが第３のＵ状切欠き２４の傾斜エッジと接触する面積が拡大し、内枠体２０とインナー部材７との係合状態が安定するようになっている。
【００２４】
前述のように外枠体１０内でインナー部材７の反圧入側テーパ面７ｂと第３のＵ状切欠き２４の傾斜エッジが係合し、ねじ部材３０のロッド部３２が内枠体２０の第２のＵ状切欠き２２を挿通し、ヘッド部３３が内枠体２０内に位置すると、次にヘッド部３３の後端面と内枠体２０の第２のＵ状切欠き２２側の壁２１の内面との間にホーク状リテーナ５０（図２及び図７）を挿入してから、ねじ部材３０を左回転させて縮退させ、外枠体１０内への突出量を小さくし、ヘッド部３３の後端面と内枠体２０の壁２１の内面との間にホーク状リテーナ５０を挟み付け、そのまま更にねじ部材３０を左回転させて縮退させることで、アウター部材５の環状くさび空間６内からインナー部材７を引き抜き、アウター部材５をインナー部材７から解放する。これにより、ワイヤストッパ４の取り外し作業は終了する。
【００２５】
このように、本実施形態のワイヤストッパ用工具においては、分離状態にあるワイヤストッパ４のアウター部材５を外枠体１０に保持させ、インナー部材７を内枠体２０に保持（当接）させ、ねじ部材３０により内枠体２０を外枠体１０に対し押し進めれば、インナー部材７の一端側がアウター部材５とワイヤ２との間の環状くさび空間６内に圧入され、くさび効果が働いてワイヤ２にワイヤストッパ４が固定される。このため、ワイヤ２へのワイヤストッパ４の取付が容易となる。
【００２６】
また、固定状態にあるワイヤストッパ４のアウター部材５を外枠体１０に保持させ、アウター部材５から突出するインナー部材７の反圧入側テーパ面７ｂを内枠体２０に係合させ、ねじ部材３０により内枠体２０を外枠体１０のアウター部材保持部から引き離せば、インナー部材７がアウター部材５とワイヤ２との間の環状くさび空間６内から離脱し、これらが分離され、ワイヤ２からワイヤストッパ４を取り外すことができる。このため、ワイヤ２からのワイヤストッパ４の取り外しが容易となる。
【００２７】
また、内枠体２０の一辺側の壁２１にワイヤ２の挿通を可能としながらインナー部材７の反圧入側端面７ａと当接可能な第２のＵ状切欠き２２を設けるとともに、第２のＵ状切欠き２２側の辺と対向する辺側の壁２３にインナー部材７の反圧入側テーパ面７ｂが係合可能な傾斜エッジを有する第３のＵ状切欠き２４を設けて、反転させることでワイヤストッパの取付け工具としての機能と取り外し工具としての機能を発現できる兼用型としているので、使い勝手が良い。
【００２８】
なお、前述の実施形態では外枠体１０及び内枠体２０の双方とも底のない枠状に形成して、外枠体１０の表裏面の何れからも内枠体２０を嵌め入れることができるようにするとともに、図１及び図２のように各部の位置関係を視認できるようにしたものを例に挙げて説明したが、これに限るものでなく、例えば外枠体を図１１に示す外枠体１０Ａのように第１のＵ状切欠き１２の反開口側端に底１５を設けた箱状としてもよく、また内枠体を図１２に示す内枠体２０Ａのように第２、第３のＵ状切欠き２２，２４の反開口側端に底２５を設けた箱状としてもよく、さらにはこれらの双方とも有底の箱状体から構成してもよい。何れの場合も、外枠体内への内枠体の嵌入方向に制限が加えられるものの、強度の確保が容易となり、全体として減肉化、軽量化が図れる。
【００２９】
また、前述の実施形態では駆動機構部をロッド部３２およびヘッド部３３を有するねじ部材３０から構成したものを例に挙げて説明したが、これをシリンダ装置から構成してもよいことは言うまでもない。
【００３０】
さらに、前述の実施形態ではねじ部材３０のロッド部３２とヘッド部３３を一体構造としたものを例に挙げて説明したが、これを例えばロッド部とヘッド部を別体から形成して、ヘッド部をロッド部に回転自在に取り付けるようにしてもよい。具体的には、ロッド部にベアリングを介してヘッド部を取付け、ヘッド部側の脱落はスナップリング等で防止する。このように、ヘッド部をロッド部に対して相対回動自在に取り付ければ、内枠体２０との間で摩擦が発生するのを防止できるので、前述の矩形プレート４０やホーク状リテーナ５０を不要とすることができる。
【図面の簡単な説明】
【００３１】
【図１】本発明の一実施形態に係るワイヤストッパ用工具のワイヤストッパ取付時の態様を示す正面断面図である。
【図２】本実施形態に係るワイヤストッパ用工具のワイヤストッパ取り外し時の態様を示す正面断面図である。
【図３】本実施形態に係るワイヤストッパ用工具のアウター部材保持部（外枠体）を示す左側面図、正面図及び右側面図である。
【図４】本実施形態に係るワイヤストッパ用工具のインナー部材保持部（内枠体）を示す左側面図、正面図及び右側面図である。
【図５】本実施形態に係るワイヤストッパ用工具の駆動機構部（ねじ部材）を示す正面図である。
【図６】本実施形態に係るワイヤストッパ用工具のワイヤストッパ取付時に使用される当板部材を示す正面図および側面図である。
【図７】本実施形態に係るワイヤストッパ用工具のワイヤストッパ取り外し時に使用されるホーク状リテーナを示す左側面図、正面図及び右側面図である。
【図８】本実施形態に係るワイヤストッパとワイヤとの関係を分解して示す断面図である。
【図９】本実施形態に係るワイヤにワイヤストッパを取付けた状態を示す正面図である。
【図１０】本実施形態に係るワイヤストッパを取付けたワイヤを水平張りフェンスへ適用した例を示す正面図である。
【図１１】本実施形態に係るワイヤストッパ用工具のアウター部材保持部（外枠体）の他の実施形態を示す左側面図、正面図及び右側面図である。
【図１２】本実施形態に係るワイヤストッパ用工具のインナー部材保持部（内枠体）の他の実施形態を示す左側面図、正面図及び右側面図である。
【符号の説明】
【００３２】
２  ワイヤ
４  ワイヤストッパ
５  アウター部材
５ａ  環状凹部
５ｂ  テーパ面
６  環状くさび空間
７  インナー部材
７ａ  反圧入側端面
７ｂ  反圧入側テーパ面
１０，１０Ａ  外枠体（アウター部材保持部）
１１  外枠体の一辺側の壁
１２  第１のＵ状切欠き
１３  外枠体の対向辺側の壁
１５  外枠体の底
２０，２０Ａ  内枠体（インナー部材保持部）
２１  内枠体の一辺側の壁
２２  第２のＵ状切欠き
２３  内枠体の対向辺側の壁
２４  第３のＵ状切欠き
２５  内枠体の底
３０  ねじ部材（駆動機構部）
３２  ロッド部
３３  ヘッド部
【図１】
2007024163.tif 000003
【図２】
2007024163.tif 000004
【図３】
2007024163.tif 000005
【図４】
2007024163.tif 000006
【図５】
2007024163.tif 000007
【図６】
2007024163.tif 000008
【図７】
2007024163.tif 000009
【図８】
2007024163.tif 000010
【図９】
2007024163.tif 000011
【図１０】
2007024163.tif 000012
【図１１】
2007024163.tif 000013
【図１２】
2007024163.tif 000014